(57)【要約】      （修正有）【課題】半導体チップを安定して動作させる熱伝導効率の高い回路板を提供する。【解決手段】回路板の基板１０上には絶縁層１１が被覆しており、絶縁層１１上に回路１２が設置され、回路箇所は半導体チップ２０の設置に利用され、回路１２の外部露出表面上はダイヤモンド粉末またはダイヤモンド及びダイヤモンドライクカーボン膜を含有する熱伝導絶縁層１７が被覆しており、当該熱伝導絶縁層１７は直接に回路１２から来る高熱と間接に半導体チップ２０から来る高熱を迅速に伝導し、高熱を外界に排出することで当該半導体チップ２０の正常な作用温度を維持する。熱伝導絶縁層１７は現有回路板基板上のハンダマスク層に取って代わることができ、高効率半導体チップ２０が発生する高熱を回路１２及び熱伝導絶縁層１７より伝達し、急速な外界の空気との熱交換により放熱する。【選択図】図２
2007180441.tif 000002
【特許請求の範囲】
【請求項１】
主に基板上を絶縁層が被覆しており、絶縁層上に回路が設置され、回路箇所は半導体チップの設置に利用され、回路の外部露出表面上はダイヤモンド粉末を含有する熱伝導絶縁層が被覆しており、当該熱伝導絶縁層は直接的には回路の高熱を、間接的に半導体チップの高熱を迅速に伝導しながら、高熱を外界に排除することによって、当該回路板の正常な作用温度を維持する熱伝導効率の高い回路板。
【請求項２】
熱伝導絶縁層はダイヤモンド粉末とポリイミドとを混合して製造されている請求項１記載の熱伝導効率の高い回路板。
【請求項３】
熱伝導絶縁層内におけるダイヤモンド粉末の体積比は５ｖｏｌ％〜９５ｖｏｌ％の間である請求項１または２記載の熱伝導効率の高い回路板。
【請求項４】
当該絶縁層はエポキシ樹脂で製造されている請求項３記載の熱伝導効率の高い回路板。
【請求項５】
主に基板上を絶縁層が被覆しており、絶縁層上に回路が設置され、回路箇所は半導体チップの設置に利用され、回路の外部露出表面上は基板上をダイヤモンド膜で製造されている熱伝導絶縁層が被覆しており、当該熱伝導絶縁層は直接的には回路の高熱を、間接的に半導体チップの高熱を迅速に伝導しながら、高熱を外界に排除することによって、当該回路板の正常な作用温度を維持する熱伝導効率の高い回路板。
【請求項６】
ダイヤモンド膜熱伝導絶縁層は熱フィラメント化学気相成長（Ｈｏｔ  Ｆｉｌａｍｅｎｔ  Ｃｈｅｍｉｃａｌ  Ｖａｐｏｒ  Ｄｅｐｏｓｉｔｉｏｎ）法で形成されている請求５記載の高熱伝導性プリント回路板。
【請求項７】
ダイヤモンド膜熱伝導絶縁層はマイクロ波プラズマ化学気相成長（Ｍｉｃｒｏｗａｖｅ  Ｐｌａｓｍａ  Ｅｎｈａｎｃｅｄ  Ｃｈｅｍｉｃａｌ  Ｖａｐｏｒ  Ｄｅｐｏｓｉｔｉｏｎ）法で形成されている請求項５記載の高熱伝導性プリント回路板。
【請求項８】
主に基板上を絶縁層が被覆しており、絶縁層上に回路が設置され、回路箇所は半導体チップの設置に利用され、回路の外部露出表面上はダイヤモンドライクカーボン膜で製造されている熱伝導絶縁層が被覆しており、当該熱伝導絶縁層は直接的には回路の高熱を、間接的に半導体チップの高熱を迅速に伝導しながら、高熱を外界に排除することによって、当該回路板の正常な作用温度を維持する熱伝導効率の高い回路板。
【請求項９】
ダイヤモンドライクカーボン膜は陰極アーク物理気相成長（Ｃａｔｈｏｄｉｃ  Ａｒｃ  Ｐｈｙｓｉｃａｌ  Ｖａｐｏｒ  Ｄｅｐｏｓｉｔｉｏｎ）法で形成されている請求項８記載の高熱伝導性プリント回路板。
【請求項１０】
ダイヤモンドライクカーボン膜はスパッタリング物理気相成長（Ｓｐｕｔｔｅｒｉｎｇ  Ｐｈｙｓｉｃａｌ  Ｖａｐｏｒ  Ｄｅｐｏｓｉｔｉｏｎ）法で形成されている請求項８記載の高熱伝導性プリント回路板。
【発明の詳細な説明】
【技術分野】
【０００１】
本発明は回路板に属しており、特に熱伝導効率の高い回路板を指しており、それは回路板上に配設されている半導体チップに良好な熱伝導効果を提供し、半導体チップに高熱が集積して放熱されないことにより半導体チップが失効または損壊することを回避することができる熱伝導絶縁層を備えている。
【背景技術】
【０００２】
大多数の電子素子、特に集積回路素子は、実装時に、チップをベア回路板上に設置するとともに、チップの接点を当該ベア回路板の接点に接続しており、ベア回路板の金属基板が酸化することを回避するため、金属基板上を絶縁層で被覆して外界と基板との接触を隔絶している。
【０００３】
図３を参照すると、現有のベア回路板では主にアルミニウム製基板（９０）上に絶縁層（９１）が形成されており、当該絶縁層（９１）上に回路（９２）が形成され、一部の回路（９２）上に回路（９２）を被覆するハンダマスク層（９３）がそれぞれ形成されており、別の部分の回路（９２）上に、半導体チップの接続用としてハンダ（９４）が被覆設置されており、半導体チップと部分回路（９２）とを電気的に接続している。
【０００４】
図４を参照すると、発光ダイオード（Ｌｉｇｈｔ  Ｅｍｉｔｔｉｎｇ  Ｄｉｏｄｅ、ＬＥＤ）（９８）がハンダ（９４）を介して前記ベア回路板の特定回路（９２）の上にハンダ接続されており、図４内の矢印が示す通り、ＬＥＤ（９８）の作動時に高熱が発生すると、熱エネルギは絶縁層（９１）を介して基板（９０）まで伝達されるか、又は回路（９２）を介してハンダマスク層（９３）まで伝達され、最終的に外界に排出される。
【０００５】
ＬＥＤ（９８）の大多数は微小キャビティ内に位置しており、ＬＥＤ（９８）が位置する箇所には、通常、所定外にファンを追加して強制的に熱滞留を発生させるための十分なスペースが備わってはおらず、たとえファンが追加装着されたとしても、ファンがエレメント全体としての電力消費量を増加させ、ＬＥＤ（９８）の高効率、省電力エネルギ節約であり、寸法はコンパクトで、環境保護に優れているという利点が失われるため、前記要因の下で、ＬＥＤ（９８）の熱管理は熱伝導を利用して自然対流により放熱する方向に向いている。
【０００６】
しかし、現有のハンダマスク層（９３）はポリイミド（Ｐｏｌｙｉｍｉｄｅ）で製造され、この種類の材料の熱伝導率は極めて低く、ＬＥＤ（９８）が発生した高熱は銅回路（９２）に伝達された後、当該ハンダマスク層（９３）を介して効果的に引き続き外界に放熱することができないため、高熱は銅回路（９２）上に集積され、ＬＥＤ（９８）が引き続き温度上昇して安定的に作動できなくなり、場合によっては、高温により損壊する。
【発明の開示】
【発明が解決しようとする課題】
【０００７】
従って、本発明者は、現有のベア回路板は熱伝導効率が芳しくないためにその上に位置する半導体チップなど電子素子の作動安定性に影響が及ぶという欠点に鑑み、その不足点及び欠点を改良し、熱伝導効率の高い回路板を発明した。
【０００８】
本発明の主な目的は熱伝導効率の高い回路板を提供することにあり、当該回路板上には、高効率半導体チップ、例えば発光ダイオードなどが発生した高熱を迅速に伝達して、高効率半導体チップが当該ベア回路板上で作動した際に正常温度を維持することを可能とさせる熱伝導絶縁層が設置されている。
【０００９】
上記目的を達成するため、本発明では、熱伝導効率の高い回路板について、主に基板上を絶縁層が被覆しており、絶縁層上に回路が設置され、回路箇所は半導体チップの設置に利用され、回路の外部露出表面上はダイヤモンド粉末またはダイヤモンド及びダイヤモンドライクカーボン膜を含有する熱伝導絶縁層が被覆しており、当該熱伝導絶縁層は直接に回路から来る高熱と間接に半導体チップから来る高熱を迅速に伝導し、高熱を外界に排出することで当該半導体チップの正常な作用温度を維持する。
【００１０】
上記技術手段により、熱伝導絶縁層は現有回路板基板上のハンダマスク層に取って代わることができ、高効率半導体チップが発生する高熱を回路及び熱伝導絶縁層により伝達され、急速に外界の空気との熱交換により放熱する。
【００１１】
前記熱伝導絶縁層はダイヤモンド粉末とポリイミドとを混合して製造されている。
前記熱伝導絶縁層内におけるダイヤモンド粉末の体積比は５ｖｏｌ％〜９５ｖｏｌ％の間である
【００１２】
。
前記絶縁層はエポキシ樹脂で製造されている。
【発明を実施するための最良の形態】
【００１３】
図１を参照すると、本発明における熱伝導効率の高い回路板には、基板（１０）と、絶縁層（１１）と、回路（１２）と、熱伝導絶縁層（１７）とが含まれている。
【００１４】
当該基板（１０）はアルミニウム、銅またはセラミックなどの材料で製造されている。
【００１５】
当該絶縁層（１１）は基板（１０）表面を被覆しており、エポキシ樹脂（Ｅｐｏｘｙ  Ｒｅｓｉｎ）で製造されている。
【００１６】
当該回路（１２）は銅材で絶縁層（１１）上に製作され、回路（１２）箇所上にはハンダ（１４）が被覆設置されている。
【００１７】
当該熱伝導絶縁層（１７）は良好な熱伝導性を有するダイヤモンド粉末混合のポリイミド（Ｐｏｌｙｉｍｉｄｅ）で製造され、回路（12）の上部のハンダ（１４）に被覆されていない外部露出表面上を被覆しており、当該ダイヤモンド粉末の体積比は５ｖｏｌ％〜９５ｖｏｌ％の間とすることができ、その他、熱伝導絶縁層（１７）は純粋にダイヤモンドとするかまたはダイヤモンドライクカーボン膜で製造することもできる。
【００１８】
図２を参照すると、ダイヤモンド粉末の熱伝導率は約８００Ｗ〜２０００Ｗ／ｍＫで、ダイヤモンドまたはダイヤモンドライクカーボンの熱伝導率は４００〜１８００Ｗ／ｍＫの間であり、従来のポリイミドの熱伝導率を非常に大きく上回っており、かつダイヤモンド及びその粉末やダイヤモンドライクカーボンはすべて良好な絶縁性を備えているため、高効率発光ダイオード（Ｌｉｇｈｔ  Ｅｍｉｔｔｉｎｇ  Ｄｉｏｄｅ、ＬＥＤ）（２０）がハンダ（１４）を介して回路（１２）と接続する時、図２内で熱伝導方向を示す矢印が示している通り、発光ダイオード（２０）が発生した高熱はハンダ（１４）及び回路（１２）を通過して熱伝導絶縁層（１７）に伝達され、熱伝導絶縁層（１７）は急速に外部の空気と熱交換を実施して発光ダイオード（２０）に対する放熱を実施する。
【００１９】
ダイヤモンドまたはダイヤモンドライクカーボン膜が構成する熱伝導絶縁層（１７）の形成方法の詳細は次の通りである。基板（１０）がシリコンまたはセラミックで製造されている場合、ダイヤモンド熱伝導絶縁層は熱フィラメント化学気相成長（Ｈｏｔ  Ｆｉｌａｍｅｎｔ  Ｃｈｅｍｉｃａｌ  Ｖａｐｏｒ  Ｄｅｐｏｓｉｔｉｏｎ）法またはマイクロ波プラズマ化学気相成長（Ｍｉｃｒｏｗａｖｅ  Ｐｌａｓｍａ  Ｅｎｈａｎｃｅｄ  Ｃｈｅｍｉｃａｌ  Ｖａｐｏｒ  Ｄｅｐｏｓｉｔｉｏｎ）法で形成され、かつその製造工程の温度は５００℃を超え、ダイヤモンド膜が形成する熱伝導絶縁層の厚さは１〜１００μｍである。基板（１０）がシリコン、セラミックまたはアルミニウム、銅などの金属で製造されている場合、ダイヤモンドライクカーボン膜の熱伝導絶縁層は陰極アーク物理気相成長（Ｃａｔｈｏｄｉｃ  Ａｒｃ  Ｐｈｙｓｉｃａｌ  Ｖａｐｏｒ  Ｄｅｐｏｓｉｔｉｏｎ）法、スパッタリング物理気相成長（Ｓｐｕｔｔｅｒｉｎｇ  Ｐｈｙｓｉｃａｌ  Ｖａｐｏｒ  Ｄｅｐｏｓｉｔｉｏｎ）法またはプラズマ化学気相成長（Ｐｌａｓｍａ  Ａｓｓｉｓｔｅｄ  Ｃｈｅｍｉｃａｌ  Ｖａｐｏｒ  Ｄｅｐｏｓｉｔｉｏｎ）法で形成される。
【００２０】
上記技術手段により、熱伝導絶縁層（１７）は従来の基板上のポリイミドハンダマスク層に取って代わることができ、発光ダイオード（２０）などの高効率半導体チップが発生する高熱エネルギはハンダ（１４）及び回路（１２）を介した後、熱伝導絶縁層（１７）と外界の空気との急速な熱交換により放熱されるため、回路板上に設置されている半導体チップは安定した作動温度を維持することができ、それにより回路板の応用性は大幅に向上する。
【図面の簡単な説明】
【００２１】
【図１】本発明の正面断面図である。
【図２】本発明の操作見取図である。
【図３】現有回路板の正面断面図である。
【図４】現有回路板の操作見取図である。
【符号の説明】
【００２２】
（１０）基板
（１１）絶縁層
（１２）回路
（１４）ハンダ
（１７）熱伝導絶縁層
（２０）発光ダイオード
（９０）金属基板
（９１）絶縁層
（９２）回路
（９３）ハンダマスク層
（９４）ハンダ
（９８）発光ダイオード
【図１】
2007180441.tif 000003
【図２】
2007180441.tif 000004
【図３】
2007180441.tif 000005
【図４】
2007180441.tif 000006